(57)【要約】【課題】洗面化粧台や流し台のキャビネット内に滴下する水滴を、何ら専用の水受け具を用いることなく、簡単に捕集できるようにする。また、スライドレール機構に水や液状物、あるいは埃や異物等が付かないようにし、長年にわたって安定してその機能を発揮できるようにする。【解決手段】キャビネット２内のシャワーヘッド４のホース６が垂れ下がった個所に、収納スペース７ａの後側に水受け部７ｂが設けられた収納トレイ７を、引出し／収納可能に設けた。また、収納トレイ７にスカート部７ｅを設け、収納トレイ７をスライド可能に支持したスライドレール機構に、水や収納物の薬液などがかからないようにした。【選択図】  図１
2004267513.tif 000002
【特許請求の範囲】
【請求項１】
洗面化粧台や流し台のカウンター部分に取り付けられたシャワーヘッドと水栓本体とを連結するホースが弛み収納されたキャビネット内に、収納スペースの後方に水受け部が一体的に設けられた収納トレイが、収納時に水受け部が前記ホースの下方に位置するようにスライドレール機構で引出し／収納可能に設けられ、ホースを伝って滴下する水滴がこの水受け部で捕集されるようになされたことを特徴とする洗面化粧台や流し台の水受け構造。
【請求項２】
上記収納トレイは、左右側壁の外方に下向きにスカート部が延出形成され、このスカート部とその内側の側壁との間に、キャビネット側に取り付けられたスライドレールと係合するローラの取付空間が形成されたものであることを特徴とする請求項１記載の洗面化粧台や流し台の水受け構造。
【発明の詳細な説明】
【０００１】
【発明の属する技術分野】
本発明は、カウンター部分に取り付けられたシャワーヘッドと水栓本体とがキャビネット内でホースを介して連結された洗面化粧台や流し台における水受け構造に関する。
【０００２】
【従来の技術】
従来、シャワーヘッドと水栓本体を連結したホースからの水滴を受けるには、位置決め固定用の磁石が取着された浅皿トレイ状の水受け器具を、キャビネット内の適所に前記磁石の吸着力を利用して取り付けるということが行われていた。
（例えば、特許文献１参照）。
【０００３】
また、この他に塩化樹脂ビニール製の袋状の水受けタンクを、ホースの屈曲下端がこの水受けタンク内に位置するように、クリップや吸盤などの固定部材を用いてキャビネット内の適所に吊り下げ支持するようにしたものもあった。（例えば、特許文献２参照）。
【０００４】
また、洗面化粧台や流し台のキャビネット内に引出し／収納可能に設けられた従来の収納トレイは、図７に示すように浅皿容器状のトレイ２０の裏面に、インナーレール２１を介してローラ２２を取り付け、このローラ２２をキャビネットの内部床面２４に固定された断面コ字形のアウターレール２３に係合させることにより、スライド可能に取り付けられていた。（例えば、特許文献３参照）。
【０００５】
【特許文献１】
特開２００２−２２３９６９号公報（第２頁、第１図）
【特許文献２】
特開２００１−６５０２２号公報（第２−３頁、第１図）
【特許文献３】
実開平２−８６３４０号公報（第１頁、第２図）
【０００６】
【発明が解決しようとする課題】
上述した従来の水受け構造のうち、水受けトレイを磁石で吸着するようにしたものは、キャビネット内に磁石が吸着する金属材が設けられていなくてはならず、キャビネットの内部床面が化粧合板などの非金属材で構成されている場合には、固定することができず、別途、磁石を吸着させるための鋼板などを準備しなくてはならなかった。また、このようにキャビネット内の床面に設置されるものは、他の収納物の邪魔になり、収納スペースが奪われると共に、場合によっては、他の収納物がこの水受けトレイ内に倒れ込み、水滴がキャビネット内の床面を濡らすおそれもあった。
【０００７】
また、袋状の水受けタンクをクリップや吸盤などの固定部材を用いて取り付けるようにしたものは、水受けタンクをホースの屈曲下端が収納されるように位置決め固定することが、まず困難であった。そして、使用時にもシャワーヘッドを引き出すと、ホースが引っ張られて水受けタンクの外部に出るので、シャワーヘッドを戻した時に、必ずしもホースが元の位置に復帰するとは限らず、ホースが水受けタンクから外れるおそれがあった。さらにこの構造では、ホースの屈曲下端が水受けタンク内に位置し、水受けされるようになっているので、ホースや水受けタンク内に黴が生じ易く、キャビネット内が不潔になるというおそれもあった。
【０００８】
また、従来の収納トレイは、キャビネットの内部床面に固定されたアウターレール上に取り付けられていたので、このアウターレールが外部に露呈しており、体裁が悪いばかりか、収納物の液だれしたものが、付着したり、埃が溜まったりし易く、レールに錆が生じたり、埃が固着してその機能が妨げられるおそれもあった。
【０００９】
本発明は、従来の洗面化粧台や流し台が有していたこれらの問題点の解決を課題とする。
【００１０】
【課題を解決するための手段】
上記の課題を解決するために、本発明のうち、請求項１記載の発明は、洗面化粧台や流し台のカウンター部分に取り付けられたシャワーヘッドと水栓本体とを連結するホースが弛み収納されたキャビネット内に、収納スペースの後方に水受け部が一体的に設けられた収納トレイを、収納時に水受け部が前記ホースの下方に位置するようにスライドレール機構で引出し／収納可能に設けた。このことでホースを伝って滴り落ちる水滴が、収納トレイの水受け部で捕集されるようにしたことを特徴とする。
【００１１】
請求項２記載の発明は、上記請求項１記載の発明の構成中、収納トレイを、左右側壁の外方に下向きにスカート部が延出形成され、このスカート部とその内側の側壁との間に、キャビネット側に取り付けられたスライドレールと係合するローラの取付空間が形成されたものと限定したことを特徴とする。
【００１２】
【発明の実施の形態】
以下、本発明を図示した実施の形態に基づき詳細に説明する。
【００１３】
図１は、本発明の水受け構造を洗面化粧台を例に示した扉開放状態の斜視図である。図示したように、この洗面化粧台１は、内部が収納部２ａとされたキャビネット２の上面に、洗面ボウル３が設けられると共に、この洗面ボウル３後側のカウンター部分にシャワーヘッド４と、このシャワーヘッド４とホース６で接続された水栓本体５が取り付けられたものである。このシャワーヘッド４は、通常の使用時には、吐水用の蛇口として機能するように、カウンター部分に起立保持され、洗髪などの際には、上方に引き出されるようになっている。したがって、シャワーヘッド４に接続されたホース６は、キャビネット２の内部である程度、余裕を持った状態で弛み保持されている。
【００１４】
なお、ホース６を介してシャワーヘッド４と接続された水栓本体５は、給水／給湯用の配管（図示せず）と別途、接続されている。
【００１５】
ここにおいて本発明の洗面化粧台や流し台の水受け構造では、このホース６が垂れ下がったキャビネット２内に、このホース６と後側が上下に対向するように、所定形状の収納トレイ７を、スライドレール機構で引出し／収納可能に設けている。
【００１６】
この収納トレイ７は、図３の平面図、並びに図４の断面図に示されるように、凹陥状に形成された収納スペース７ａの後方（図３において右方）に、横長溝状の水受け部７ｂが設けられたものであり、例えば、合成樹脂で一体成形されている。また、この収納トレイ７の周囲の壁は、中空の二重壁構造になっており、特にその左右の側壁７ｄの上端からは、図２に示すように、外方下向きにその先端が収納スペース７ａの底面７ｃよりもさらに下方に突出するようにスカート部７ｅが連設され、このスカート部７ｅとその内側の側壁７ｄとの間に形成された空間を利用して、ここにスライドレール機構のローラ８を、取付金具を兼ねたインナーレール９を介して取り付けるようにしている。なお、このローラ８は、図５に示すように収納トレイ７の後ろ寄り（図５において左手前側）の位置に設けられている。
【００１７】
一方、キャビネット２の内部床面２ｂには、図６に示すように、その前後方向（図６において紙面の手前から奥に至る方向）に、スライドレール機構を構成する断面略コ字形の一対のアウターレール１０，１０が、互いに向き合うように平行に設けられている。なお、このアウターレール１０が取り付けられる位置は、シャワーヘッド４から垂れ下がったホース６の下方領域である。
【００１８】
また、図６において符号１１は、アウターレール１０の前端側に取り付けられたローラを示し、このローラ１１は収納トレイ７の抜け止めと、その転動支持機能を兼ねたものである。
【００１９】
本発明の水受け機構は、上記の構成を有している。
【００２０】
次にその機能について述べると、まず、洗面化粧台１自体の使用法は、従来のものと何ら変わることなく、通常の使用時には、シャワーヘッド４をカウンター部分に固定したまま水栓本体５を操作し、シャワーヘッド４の吐水口から吐水させ、シャワーとして使用する際には、シャワーヘッド４に設けられた切替レバー（図示せず）を必要に応じて操作すると共に、シャワーヘッド４をカウンター部分から引き上げ、あるいは引出し、この状態で水栓本体５を操作してその通水をコントロールするものである。そして、上記のようにしてシャワーヘッド４を使用した時、あるいは使用後、シャワーヘッド４を元の位置に戻すと、シャワーヘッド４のホース６を伝った水滴がキャビネット２の内部へと導かれ、その下端位置から滴下するという事態が生じるが、この時、本発明の水受け構造では、キャビネット２内に収納された収納トレイ７の水受け部７ｂが、このホース６の下方に位置しているので、滴下した水滴は、この水受け部７ｂに落ち、周囲を濡らすことがない。
【００２１】
また、収納物（図示せず）の出し入れは、アウターレール１０とインナレール９およびローラ８，１１からなるスライドレール機構で支持された収納トレイ７をキャビネット２の前方に引き出すことにより容易に行え、その際、必要に応じて水受け部７ｂに溜まった水を、雑巾などで払拭して除去すれば良い。また、この水受け部７ｂに溜まる水は、通常の使用状態では、極く少量で、手入れしなくとも蒸発してしまう程度であるが、万一、大量に溜まった場合でも、この収納トレイ７はアウターレール１０から外して取り出すことができるので、収納トレイ７をキャビネット２の内部から取り出して溜まった水を廃棄することも可能である。
【００２２】
さらに、この収納トレイ７は、左右両側にスカート部７ｅが設けられ、スライドレール機構がこのスカート部７ｅで覆われるようになっているので、体裁が良くなると共に、収納品からの液状物や異物などが、スライドレール機構に滴下したり、付着することが防止され、また、埃も溜まり難く、このことに起因するトラブルも生じ難い。
【００２３】
本発明の洗面化粧台や流し台の水受け構造は、上記のようにして機能するものである。
【００２４】
なお、図示した実施の形態では、上面に洗面ボウル３が設けられた洗面化粧台１を例示したが、本発明の水受け構造は、シャワーヘッド４が引出し可能に設けられたものであれば、流し台に対しても使用できることは、言うまでもない。
【００２５】
【発明の効果】
以上説明したように、本発明のうち、請求項１記載の発明は、キャビネットに引出し／収納可能に設けられた収納トレイの後側に水受け部を一体的に設けたので、キャビネット内に何らの水受け専用の器具を取り付ける必要がない。よって、水受けだけのための余分なコストが削減されると共に、その取り付けのためのスペースも不要となり、製造コストが削減されると共に、収納スペースも広くなるという効果がある。また、収納トレイは、収納スペースと水受け部が区画されているので、収納された物品がホースの下方に移動して水滴が水受け部に落下することを妨げるおそれがなく、水滴は確実にこの水受け部に捕集される。さらに、この収納トレイは、キャビネット内から取り出すことができるので、万一、水受け部に大量の水がたまった場合でも、その廃棄が可能という効果がある。
【００２６】
また、請求項２記載の発明は、収納トレイの左右側壁の外方に、下向きにスカート部を延出形成したので、スライドレール機構がこのスカート部で覆われ、上記請求項１記載の発明の効果に加え、キャビネット内部の体裁が良くなると共に、このスライドレール機構に液状物などの異物が付着したり、埃が溜まったりすることが防止され、このことに起因するトラブルが生じ難くなるという効果がある。
【図面の簡単な説明】
【図１】本発明の水受け構造を洗面化粧台を例に示した扉開放状態の斜視図である。
【図２】図１の要部の拡大断面図である。
【図３】収納トレイの平面図である。
【図４】図３のＡ−Ａ線の断面図である。
【図５】収納トレイの裏面側斜視図である。
【図６】キャビネット内部の要部拡大斜視図である。
【図７】収納トレイ部分の従来例を示した簡略断面図である。
【符号の説明】
１  洗面化粧台
２  キャビネット
２ａ  収納部
２ｂ  内部床面
２ｃ  扉
３  洗面ボウル
４  シャワーヘッド
５  水栓本体
６  ホース
７  収納トレイ
７ａ  収納スペース
７ｂ  水受け部
７ｃ  底面
７ｄ  側壁
７ｅ  スカート部
８，１１  ローラ
９  インナーレール
１０  アウターレール
【図１】
2004267513.tif 000003
【図２】
2004267513.tif 000004
【図３】
2004267513.tif 000005
【図４】
2004267513.tif 000006
【図５】
2004267513.tif 000007
【図６】
2004267513.tif 000008
【図７】
2004267513.tif 000009